(57)【要約】【課題】ペット洗浄時にバスタブ内部に抜け落ちたペットの毛が原因で生じる底板の昇降動作の不具合や昇降装置の故障を防止することができ、しかも、ペット洗浄後に行われるバスタブ内部の清掃を行い易い底板昇降式ペット洗浄用バスタブを提供すること。【解決手段】ペット洗浄用バスタブ１は、バスタブ１内に配置された底板５を備えている。底板５は、該底板５を水平状に吊下げ支持した吊下げアーム21を介して、バスタブ１の外側に配置された昇降装置20により昇降されるものとなされている。【選択図】図５
2007104913.tif 000002
【特許請求の範囲】
【請求項１】
バスタブ内に配置された底板が、該底板を水平状に吊下げ支持した吊下げアームを介して、バスタブの外側に配置された昇降装置により昇降されるものとなされていることを特徴とする底板昇降式ペット洗浄用バスタブ。
【請求項２】
前記昇降装置は、バスタブの外側に互いに間隔をおいて立設された一対のガイドレールと、該両ガイドレール間に架け渡し状に配置され該両ガイドレールに沿って昇降される昇降フレームと、鉛直に配置され先端部が前記昇降フレームに連結されたロッドを上下方向に移動させるロッド駆動手段とを備え、
前記吊下げアームは、前記昇降フレームからバスタブ内に向かって延設されており、
前記ロッド駆動手段によって前記ロッドを上下方向に移動させて前記昇降フレームを昇降させることにより、前記底板が前記吊下げアームを介して昇降されるものとなされている請求項１記載の底板昇降式ペット洗浄用バスタブ。
【請求項３】
バスタブの側壁部に出入口が設けられるとともに、前記出入口に該出入口を閉塞する出入扉がその下縁部を中心にバスタブの外側へ倒伏回動可能に取り付けられており、
前記出入扉は、バスタブの外側へ倒伏して前記出入口が開いた状態のもとで、ペットがバスタブ設置床面上から前記底板上に乗り降りするための乗降板としても機能するものとなされている請求項１又は２記載の底板昇降式ペット洗浄用バスタブ。
【請求項４】
前記出入扉には、前記出入口を閉塞した状態に該出入扉をロック及びロック解除するためのロック操作棒が取り付けられるとともに、
前記ロック操作棒は、前記出入扉がバスタブの外側へ倒伏して前記出入口が開いた状態のもとで、前記出入扉を倒伏姿勢にバスタブ設置床面に対して支持する支持脚としても機能するものとなされている請求項３記載の底板昇降式ペット洗浄用バスタブ。
【請求項５】
前記底板の上面に向けて該底板の上面洗浄用洗浄水を噴出する噴出ノズルが、前記吊下げアームに設けられている請求項１〜４のいずれか１項記載の底板昇降式ペット洗浄用バスタブ。
【請求項６】
請求項１〜５のいずれか１項記載の底板昇降式ペット洗浄用バスタブを備えていることを特徴とするペット洗浄システム。
【発明の詳細な説明】
【技術分野】
【０００１】
本発明は、犬、猫等のペットの洗浄時に使用される底板昇降式ペット洗浄用バスタブ及びペット洗浄システムに関する。
【背景技術】
【０００２】
一般家庭やペット美容室等では、犬、猫等のペットを洗浄する場合、ペットに向けて噴射されるシャワー水等の洗浄水が周囲に飛び散らないようにするため、ペットを洗浄用バスタブ内に入れて洗浄が行われている（例えば特許文献１参照）。
【０００３】
このペット洗浄用バスタブのうち、バスタブ内の底板が昇降可能に構成されたものが知られている（例えば特許文献２参照）。このバスタブによれば、バスタブ内の底板が昇降可能であるから、ペットの体高に応じてバスタブ内の底板の高さを調節することができる。そのため、ペット洗浄時において、ペットの飼い主等の洗浄作業者は、例えば腰を大きく曲げる等の無理な姿勢を強いられることなく、自然な姿勢で洗浄作業を行うことができ、もって、ペットの体高にかかわらず洗浄作業を容易に行うことができるという利点がある。
【特許文献１】特開平１１−１８７７８２号公報
【特許文献２】特開平２００１−２２４２６９号公報（請求項２、段落番号［００１３］）
【発明の開示】
【発明が解決しようとする課題】
【０００４】
而して、このような従来の底板昇降式ペット洗浄用バスタブでは、底板を昇降させる昇降装置として例えばパンタグラフ式のものが用いられていたが、この昇降装置はバスタブの内部に配置されていた。
【０００５】
一方、ペット洗浄時にはペットの毛がバスタブの内部に抜け落ちる。ペットはほぼ全身に毛が生えているので、洗浄時に抜け落ちるペットの毛はかなり多い。そのため、洗浄時に抜け落ちたペットの毛がバスタブ内部の昇降装置の昇降機構の一部にからまって底板の昇降動作に支障をきたしたり、更には、毛が昇降装置の内部に入り込んで昇降装置が故障し易かった。
【０００６】
また、ペットを洗浄した後には、一般に、バスタブを清潔にするためバスタブの内部を清掃してバスタブ内部に落ちたペットの毛を除去することが行われる。しかし、バスタブ内部には昇降装置が配置されているので、バスタブ内部の清掃時に昇降装置が邪魔になってしまいバスタブ内部に残った毛を除去することが困難であった。
【０００７】
本発明は、上述した技術背景に鑑みてなされたもので、その目的は、ペット洗浄時にバスタブ内部に抜け落ちたペットの毛が主な原因で生じる底板の昇降動作の不具合や昇降装置の故障を防止することができ、しかも、ペット洗浄後に行われるバスタブ内部の清掃を行い易い底板昇降式ペット洗浄用バスタブ及びこれを備えたペット洗浄システムを提供することにある。
【課題を解決するための手段】
【０００８】
上記目的を達成するため、本発明は以下の手段を提供する。
【０００９】
［１］  バスタブ内に配置された底板が、該底板を水平状に吊下げ支持した吊下げアームを介して、バスタブの外側に配置された昇降装置により昇降されるものとなされていることを特徴とする底板昇降式ペット洗浄用バスタブ。
【００１０】
［２］  前記昇降装置は、バスタブの外側に互いに間隔をおいて立設された一対のガイドレールと、該両ガイドレール間に架け渡し状に配置され該両ガイドレールに沿って昇降される昇降フレームと、鉛直に配置され先端部が前記昇降フレームに連結されたロッドを上下方向に移動させるロッド駆動手段とを備え、
前記吊下げアームは、前記昇降フレームからバスタブ内に向かって延設されており、
前記ロッド駆動手段によって前記ロッドを上下方向に移動させて前記昇降フレームを昇降させることにより、前記底板が前記吊下げアームを介して昇降されるものとなされている前項１記載の底板昇降式ペット洗浄用バスタブ。
【００１１】
［３］  バスタブの側壁部に出入口が設けられるとともに、前記出入口に該出入口を閉塞する出入扉がその下縁部を中心にバスタブの外側へ倒伏回動可能に取り付けられており、
前記出入扉は、バスタブの外側へ倒伏して前記出入口が開いた状態のもとで、ペットがバスタブ設置床面上から前記底板上に乗り降りするための乗降板としても機能するものとなされている前項１又は２記載に底板昇降式ペット洗浄用バスタブ。
【００１２】
［４］  前記出入扉には、前記出入口を閉塞した状態に該出入扉をロック及びロック解除するためのロック操作棒が取り付けられるとともに、
前記ロック操作棒は、前記出入扉がバスタブの外側へ倒伏して前記出入口が開いた状態のもとで、前記出入扉を倒伏姿勢にバスタブ設置床面に対して支持する支持脚としても機能するものとなされている前項３記載の底板昇降式ペット洗浄用バスタブ。
【００１３】
［５］  前記底板の上面に向けて該底板の上面洗浄用洗浄水を噴出する噴出ノズルが、前記吊下げアームに設けられている前項１〜４のいずれか１項記載の底板昇降式ペット洗浄用バスタブ。
【００１４】
［６］  前項１〜５のいずれか１項記載の底板昇降式ペット洗浄用バスタブを備えていることを特徴とするペット洗浄システム。
【発明の効果】
【００１５】
本発明は以下の効果を奏する。
【００１６】
［１］の発明では、底板を昇降させる昇降装置はバスタブの外側に配置されているので、ペット洗浄時にバスタブ内部に抜け落ちるペットの毛による底板の昇降動作の不具合や昇降装置の故障を防止することができる。しかも、ペットを洗浄した後でバスタブを清潔にするためその内部を清掃する際に昇降装置が邪魔にならないので、バスタブ内部の清掃を行い易いという利点がある。さらに、昇降装置のメンテナンス作業についても行い易いし、その上、もし仮に昇降装置が何らかの原因で故障した場合であっても、その修理を行い易いという利点がある。
【００１７】
［２］の発明では、底板が確実に昇降動作するものとなる。
【００１８】
［３］の発明では、出入扉は、バスタブの外側へ倒伏して出入口が開いた状態のもとで、ペットがバスタブ設置床面上から底板上に乗り降りするための乗降板としても機能するものとなされている。したがって、ペットを洗浄するためにペットをバスタブ設置床面上からバスタブ内の底板上に乗せる際や、ペット洗浄後にペットを底板上からバスタブ設置床面上に降ろす際に、出入扉を倒伏させておけば、ペットをこの倒伏姿勢の出入扉上を歩かせることにより、ペットの乗降を容易に行うことができる。
【００１９】
［４］の発明では、ロック操作棒は、バスタブの出入扉がバスタブ外側へ倒伏してバスタブの出入口が開いた状態のもとで、出入扉を倒伏状態にバスタブ設置床面に対して支持する支持脚としても機能するものとなされている。したがって、出入扉を乗降板として機能させた場合において、出入扉の勾配を緩やかにすることができ、もって、出入扉の勾配をペットが乗り降りし易い勾配に設定することができる。さらに、出入扉の上縁部がバスタブ設置床面に直接当接しなくなるため、出入扉の上縁部を清潔に保つことができるし、更には、出入扉の上縁部のバスタブ設置床面への当接による傷つきを防止することができる。
【００２０】
［５］の発明では、バスタブ内部を清掃する際に、噴出ノズルによって洗浄水を底板の上面に向けて噴出することにより、底板の上面を効果的に洗浄することができる。
【００２１】
さらに、この噴出ノズルは、吊下げアームに設けられているので、底板と一緒に昇降される。そのため、底板の高さ位置に関係なく底板の上面に向けて洗浄水を噴出することができ、もって底板の上面を確実に洗浄することができる。
【００２２】
［６］の発明では、本発明のペット洗浄用バスタブの利点を有するペット洗浄システムを提供できる。
【発明を実施するための最良の形態】
【００２３】
次に、本発明の一実施形態について図面を参照して以下に説明する。
【００２４】
図１において、（50）は、本発明の一実施形態に係るペット洗浄システムである。このペット洗浄システム（50）は、１００円硬貨や５００円硬貨等のコインの投入料金に応じて、ペットを洗浄する洗浄水（即ちペット洗浄用洗浄水）の供給時間が設定されるように構成されたものであり、すなわちコイン式ペット洗浄システムである。本実施形態では、ペット洗浄用洗浄水として、水道水等からなるシャワー水が用いられる。
【００２５】
このペット洗浄システム（50）は、本発明の一実施形態に係る底板昇降式ペット洗浄用バスタブ（１）を具備しており、このバスタブ（１）内において、犬、猫等のペットが洗浄されるものである。
【００２６】
このバスタブ（１）は、平面視四角形状の例えばＦＲＰ製のもので、前側壁部（2a）と後側壁部（2b）と左側壁部（2c）と右側壁部（2d）と底壁部（2e、図５参照）とを有している。このバスタブ（１）では、ペット洗浄時にはペットの飼い主等の洗浄作業者は主に前側壁部（2a）の外側に立ち、バスタブ（１）の前側から洗浄作業が行われる。また、このバスタブ（１）は、ペット洗浄用ユニットハウス（図示せず）内のバスタブ設置床面（Ｆ）上に設置されている。そして、このバスタブ（１）は、下方突出状の複数個のバスタブ支持脚部（３）（３）によってバスタブ設置床面（Ｆ）に対して上方に離間して支持されている。
【００２７】
バスタブ（１）の内部には、図３及び図５に示すように、軽量強化樹脂製等の底板（５）が水平状に配置されている。このバスタブ（１）では、ペットはこの底板（５）上に乗せられて洗浄される。この底板（５）は、図３に示すように、複数枚（本実施形態では４枚）の平板材からなるすのこ状のものであって、底板（５）には、該底板（５）上のシャワー水（即ちペット洗浄用洗浄水）が落下する開口部（5a）が複数個設けられている。
【００２８】
また、このバスタブ（１）は、底板（５）を水平状に吊下げ支持する左右一対の吊下げアーム（21）（21）と、底板（５）を昇降させる昇降装置（20）とを具備している。
【００２９】
昇降装置（20）は、バスタブ（１）の外側に配置されており、詳述するとバスタブ（１）の後側壁部（2b）の外側、即ちバスタブ（１）の後側に配置されている。
【００３０】
この昇降装置（20）は、図４に示すように、左右一対のガイドレール（22）（22）と、上下一対の昇降フレーム（23a）（23b）と、ロッド駆動手段（24）とを備えている。
【００３１】
左右一対のガイドレール（22）（22）は、図１及び図４に示すように、バスタブ（１）の後側壁部（2b）の外側すなわちバスタブ（１）の後側に互いに所定間隔をおいてバスタブ設置床面（Ｆ）上に鉛直に立設されたものであって、支柱からなる。各ガイドレール（22）は、例えばリップ付溝形ステンレス鋼材からなり、ガイドレール（22）の長さ方向に延びたガイド溝（22a）を有している。なお、（28）（28）は、両ガイドレール（22）（22）の上端同士及び下端同士をそれぞれ連結して補強した補強フレームである。
【００３２】
上下一対の昇降フレーム（23a）（23b）は、両ガイドレール（22）（22）に沿って昇降可能なものであり、両ガイドレール（22）（22）間に上下に水平に並んで架け渡し状に配置されるとともに、両ガイドレール（22）（22）に沿って昇降可能に両ガイドレール（22）（22）と連結されている。両昇降フレーム（23a）（23b）の左端同士及び右端同士は、それぞれ、左右の連結フレーム（23c）（23c）を介して相互に連結されており、これにより、両昇降フレーム（23a）（23b）は両連結フレーム（23c）（23c）を介して互いに一体化されている。
【００３３】
なお本発明では、昇降フレーム（23a）（23b）の個数は少なくとも１個であれば良く、つまり１個であっても良いし、２個や３個以上であっても良い。
【００３４】
ロッド駆動手段（24）は、図４及び図６に示すように、軸方向に移動可能なロッド（25）と、該ロッド（25）を内部に収容するパイプ状の収容部（26）と、ロッド（25）に駆動力を付与する駆動源としての電気モータ（27）とを有している。本実施形態では、ロッド（25）は例えばボールねじからなる。ロッド（25）及び収容部（26）は鉛直に配置されている。ロッド（25）は収容部（26）内に収容されるとともに、電気モータ（27）の駆動力によってロッド（25）が収容部（26）内から突出したり、突出したロッド（26）が収容部（26）内に収容されたりするものとなされている。
【００３５】
ロッド（25）の先端部（即ち上端部）は、上下両昇降フレーム（23a）（23b）のうち下昇降フレーム（23b）に連結されている。収容部（26）の下端は、下補強フレーム（28）に固定状態に連結されている。電気モータ（27）は、収容部（26）の下部に装着されている。そして、この電気モータ（27）を作動させることにより、ロッド（25）は上下方向（即ち該ロッド（25）の軸方向）に移動され、このロッド（25）の移動に伴い、両昇降フレーム（23a）（23b）が両ガイドレール（22）（22）に沿って昇降されるものとなされている。
【００３６】
なお本実施形態では、ロッド駆動手段（24）は、ボールねじを利用したもであるが、本発明では、これ以外のものであっても良く、例えば、油圧シリンダやガスシリンダ等の流体圧シリンダであっても良い。
【００３７】
左右一対の吊下げアーム（21）（21）は、図１に示すように、上下両昇降フレーム（23a）（23b）のうちの上昇降フレーム（23a）の左右両端部からバスタブ（１）の内部（詳述すると底板（５））に向かって下方向に延設されるとともに、図５に示すように、その先端部（21a）（21a）が水平状に屈曲されている。そして、この水平状の先端部（21a）上に底板（５）が載置されて固着されており、これにより、底板（５）は、上昇降フレーム（23a）から吊下げアーム（21）（21）によって水平状に吊下げ支持されている。この上昇降フレーム（23a）は底板（５）よりも高い位置に配置されている。
【００３８】
なお本発明では、吊下げアーム（21）（21）の個数は少なくとも１個であれば良く、つまり１個であっても良いし、２個や３個以上であっても良い。
【００３９】
以上のように昇降装置（20）が構成されており、これにより、底板（５）が確実に昇降動作するものとなされている。
【００４０】
なお、（Ｓ）は、バスタブ（１）の内側面を洗浄するバスタブ洗浄装置である。
【００４１】
図１に示すように、バスタブ（１）の外側（詳述すると左側）には、バスタブ（１）に隣接して制御ボックス（40）が配置されている。この制御ボックス（40）内には、昇降装置（20）を制御する制御部、料金装置の制御部、ペット洗浄用洗浄水としてのシャワー水の供給時間を制御する制御部、バスタブ洗浄装置（Ｓ）を制御する制御部など、様々な制御部が収容されている。
【００４２】
制御ボックス（40）の上面パネルや前面パネルには、シャワー水供給スイッチ（42）、バスタブ洗浄装置（Ｓ）の動作スイッチ（45）等の様々なスイッチをはじめ、デジタル表示部（43）、コイン投入口（41）等が設けられている。デジタル表示部（43）にはシャワー水を供給できる残り時間等が表示される。（44）は、シャワー水供給管（図示せず）を開閉したりシャワー水の温度を調節するミキシングバルブである。（15）は、シャワー水を噴出するシャワーヘッドである。
【００４３】
また、バスタブ（１）の外面（詳述すると前面）には、昇降装置（20）を作動させて底板（５）を昇降させる昇降操作レバー（14）が設けられている。この昇降操作レバー（14）はモノレバースイッチからなる。そして、この昇降操作レバー（14）を下方に押すと、昇降装置（20）が降作動して底板（５）が吊下げアーム（21）（21）を介して下降し、一方、この昇降操作レバー（14）を上方に押すと、昇降装置（20）が昇動作して底板（５）が吊下げアーム（21）（21）を介して上昇するものとなされている。そして、この昇降操作レバー（14）を中央位置に戻すと、底板（５）の昇降移動が停止して底板（５）がそのときの高さ位置に配置されるものとなされている。すなわち、この昇降操作レバー（14）を操作することにより、底板（５）の高さ調節が行われる。
【００４４】
バスタブ（１）の前側壁部（2a）の一部（詳述すると中央部）には、その上縁から下方に向かって正面視略Ｕ字状に切欠き形成された、バスタブの出入口（６）が設けられている。この出入口（６）を通ってペットをバスタブ（１）内に入れたり出したりする。
【００４５】
さらに、この出入口（６）には、該出入口（６）を閉塞する、正面視長方形又は正方形の板状のＦＲＰ製等の出入扉（７）がその下縁部を中心にバスタブ（１）の外側（詳述すると前方）へ倒伏回動可能に取り付けられている。すなわち、出入扉（７）の下縁部はヒンジ部材（7a）（7a）を介して出入口（６）の下縁部に連結されており、これにより、出入扉（７）はその下縁部（詳述するとヒンジ部材（7a）（7a））を中心にバスタブ（１）の前方へ倒伏回動可能となされている（図５参照）。したがって、出入扉（７）は、出入口（６）を閉塞した状態では起立姿勢となっており、図５に示すように、この姿勢から倒伏姿勢へと出入扉（７）の姿勢を変更することができる。本実施形態では、出入扉（７）の倒伏姿勢は、水平姿勢よりも更に下方に回動した姿勢である。したがって、出入扉（７）の倒伏姿勢では、該出入扉（７）の内面は、バスタブ設置床面（Ｆ）上からバスタブ（１）内の底板（５）上へと進む方向において所定の上り勾配をもっている。
【００４６】
さらに、図５に示すように、このように出入扉（７）が倒伏されて出入口（６）が開いた状態では、この出入扉（７）は、ペットがバスタブ設置床面（Ｆ）上からバスタブ（１）内の底板（５）上に乗り降りするための乗降板として機能するように構成されている。本実施形態では、出入扉（７）は、各種の乗降板のうちスロープ板として機能するように構成されている。さらに、この出入扉（７）の内面は、出入扉（７）が倒伏姿勢になった場合には上側に向く面であるが、この面には、踏み板部等の複数個の滑り止め用突部（7b）が階段状に設けられている。
【００４７】
さらに、図１に示すように、出入扉（７）の上縁部の左右両端部にはそれぞれ、出入口（６）を閉塞した状態に出入扉（７）をロック及びロック解除するための真直なロック操作棒（８）が取り付けられている。このロック操作棒（８）はステンレス鋼等の金属製である。図２に示すように、このロック操作棒（８）の基端部には、該ロック操作棒（８）に対して垂直にロックボルト（９）が一体に設けられている。ロック操作棒（８）は、このロックボルト（９）を回転軸として出入扉（７）に対して前方へ回転自在にブラケット（12）を介して出入扉（７）に取り付けられている。一方、バスタブ（１）の前側壁部（2a）における、ロックボルト（９）と対応する位置、すなわち、バスタブ（１）の前面の上縁部における出入口（６）左右両側部には、ロック孔（11）を有する突片（10）が固着されている。そして、ロック操作棒（８）を手で掴んでロックボルト（９）をロック孔（11）内にスライド挿入することにより、出入扉（７）は出入口（６）を閉塞した状態にロックされ、一方、ロックボルト（９）をロック孔（11）内からスライド抜出することにより、このロックは解除されるものとなされている。
【００４８】
さらに、このロック操作棒（８）は、図５に示すように、倒伏姿勢の出入扉（７）をその姿勢にバスタブ設置床面（Ｆ）に対して出入扉（７）の上縁部が上方に離間するように支持する支持脚としても機能するように構成されている。なお、ロック操作棒（８）が支持脚として機能する位置までロック操作棒（８）がロックボルト（９）（即ち回転軸）を中心に回転した場合には、ロック操作棒（８）がこれ以上回転しないようにストッパ片（13、図２参照）によってロック操作棒（８）の回転が規制されるように構成されている。このストッパ片（13）はロックボルト（９）に突設されている。
【００４９】
また、このようにロック操作棒（８）によって出入扉（７）を倒伏姿勢に支持した状態のもとで、出入扉（７）の勾配がペットが乗り降りし易い勾配になるように、ロック操作棒（８）の長さが設定されている。
【００５０】
また、図１及び図５に示すように、各吊下げアーム（21）の底板（５）近傍で底板（５）よりも上方の部位には、底板（５）の上面洗浄用の洗浄水（17a、図５参照）を底板（５）の上面に向けてその後方（あるいは前方や側方）の斜め上側の位置から底板（５）の上面に対して斜め方向に噴出する噴出ノズル（17）が固定状態に設けられている。
【００５１】
この噴出ノズル（17）から噴出される、底板（５）の上面洗浄用洗浄水（17a）は、ペット洗浄用洗浄水とは異なる種類の水が用いられ、例えば銀イオン殺菌水からなる。この銀イオン殺菌水からなる洗浄水（17a）を使用することにより、洗浄力が向上し、もって底板（５）の上面を効果的に洗浄することができる。
【００５２】
なお、この噴出ノズル（17）に洗浄水（17a）を供給する洗浄水供給管（図示せず）は、例えばフレキシブル管からなり、吊下げアーム（21）の内部に吊下げアーム（21）に沿って挿通配置されている。
【００５３】
なお、図１において、（16）はバスタブ（１）の排水口である。この排水口（16）は、図示しない排水タンクに毛除去フィルタ等を介して接続されている。
【００５４】
次に、上記実施形態のペット洗浄用バスタブ（１）を備えたコイン式ペット洗浄システム（50）によるペットの洗浄方法について、以下に説明する。
【００５５】
まず、コイン投入口（41）に１００円硬貨や５００円硬貨等のコインを投入し、ペット洗浄システム（50）の動作をオンにする。
【００５６】
次いで、犬、猫等のペットをバスタブ（１）内に入れるため、バスタブ（１）の出入扉（７）のロックを解除し、図３及び図５に示すように、出入扉（７）をバスタブ（１）の前方へ倒伏させて出入口（６）を開ける。そして、倒伏姿勢の出入扉（７）をその姿勢に、支持脚としてのロック操作棒（８）によってバスタブ設置床面（Ｆ）に対して出入扉（７）の上縁部が上方に離間するように支持する。この状態では、出入扉（７）の上縁部はバスタブ設置床面（Ｆ）とは直接当接しておらず、また出入扉（７）の勾配はペットが乗り降りし易い勾配に設定されている。
【００５７】
次いで、ペットをこの倒伏姿勢の出入扉（７）（詳述すると出入扉（７）の内面）上を歩かせてバスタブ（１）の出入口（６）からバスタブ（１）内の底板（５）上に乗せる。このとき、底板（５）は、例えば最も低い高さ位置に配置されている。また、出入扉（７）の内面には滑り止め用突部（7b）が階段状に設けられているので、出入扉（７）上を歩かせるときにペットはその脚を滑らすことはなく、のぼり易くなっている。
【００５８】
ペットが底板（５）上に乗ったら、出入扉（７）の上縁部を持ち上げて、該出入扉（７）により出入口（６）を閉塞する。そして、ロック操作棒（８）を手で掴んでロックボルト（９）をロック孔（11）内にスライド挿入することにより、出入口（６）を閉塞した状態に出入扉（７）をロックする。
【００５９】
次いで、昇降操作レバー（14）を操作することにより、ペットの体高に応じて、洗浄作業者が楽な姿勢で洗浄作業を行えるように底板（５）の高さ位置を調節する。この操作は以下のように行われる。まず、昇降操作レバー（14）を上方に押すことにより、昇降装置（20）のロッド駆動手段（24）の電気モータ（27）を作動させてロッド（25）を上方に移動させる。すると、両昇降フレーム（23a）（23b）が両ガイドレール（22）（22）に沿って上昇し、これに伴い、図６及び図７に示すように底板（５）が吊下げアーム（21）（21）を介して上昇する。そして、底板（５）が所定の高さ位置に配置されたら、昇降操作レバー（14）を中央位置に戻し、底板（５）の移動を停止する。なお、底板（５）の高さ位置が高くなり過ぎた場合には、昇降操作レバー（14）を下方に押すことにより、底板（５）を下降させてその高さ位置を微調整する。
【００６０】
次いで、シャワー水供給スイッチ（42）をオンにすることにより、所定温度に調節されたシャワー水をシャワーヘッド（15）から噴出させる。このシャワー水でペットを洗浄する。なお、シャワー水の供給時間はコインの投入料金に応じて制御ボックス（40）内の制御部により設定される。例えば、コイン投入料金１００円につき３０秒の間、シャワー水が供給されるように、シャワー水の供給時間が設定される。
【００６１】
ペットの洗浄が終了したら、ペットの毛をドライヤ（図示せず）により乾燥させる。
【００６２】
次いで、ペットを底板（５）上からバスタブ設置床面（Ｆ）上に降ろすため、昇降操作レバー（14）を操作することにより、底板（５）を下降させる。この操作は以下のように行われる。まず、昇降操作レバー（14）を下方に押すことにより、昇降装置（20）の電気モータ（27）を逆回転方向に作動させてロッド（25）を下方に移動させる。すると、両昇降フレーム（23a）（23b）が両ガイドレール（22）（22）に沿って下降し、これに伴い、図４及び図５に示すように底板（５）が吊下げアーム（21）（21）を介して下降する。そして、底板（５）が所定の高さ位置に配置されたら、昇降操作レバー（14）を中央位置に戻し、底板（５）の移動を停止する。
【００６３】
次いで、ロック操作棒（８）を手で掴んでロックボルト（９）をロック孔（11）内から抜出することにより、出入扉（７）のロックを解除する。
【００６４】
次いで、出入扉（７）をバスタブ（１）の前方へ倒伏させてバスタブ（１）の出入口（６）を開ける。そして、倒伏姿勢の出入扉（７）をその姿勢に、支持脚としてのロック操作棒（８）によってバスタブ設置床面（Ｆ）に対して出入扉（７）の上縁部が上方に離間するように支持する。この状態にしてから、ペットを倒伏姿勢の出入扉（７）上を歩かせてバスタブ設置床面（Ｆ）上に降ろす。
【００６５】
ペットがバスタブ設置床面（Ｆ）上に降りたら、出入扉（７）の上縁部を持ち上げて、該出入扉（７）により出入口（６）を閉塞する。次いで、ロック操作棒（８）を手で掴んでロックボルト（９）をロック孔（11）内にスライド挿入することにより、出入扉（７）をロックする。
【００６６】
このバスタブ（１）では、ペット洗浄後において、バスタブ（１）内部を掃除すべく底板（５）上に抜け落ちたペットの毛を除去する場合には、バスタブ洗浄装置（Ｓ）の動作スイッチ（45）をオンにする。すると、洗浄水（17a）が噴出ノズル（17）の噴出口から底板（５）の上面に向けて底板（５）の上面に対して斜め方向に噴出される。これにより、底板（５）上に抜け落ちたペットの毛を効果的に洗い流すことができる。
【００６７】
なお、このペット洗浄システム（50）では、昇降操作レバー（14）を操作すると、その操作の間、その他の動作スイッチ（例えばシャワー水の供給）がオフになるように設定されており、システム（50）の安全性が高められている。
【００６８】
而して、上記実施形態のペット洗浄用バスタブ（１）には次の利点がある。
【００６９】
このバスタブ（１）では、底板（５）を昇降させる昇降装置（20）がバスタブ（１）の外側（後側）に配置されている。したがって、ペット洗浄時にバブタブ（１）内部に抜け落ちるペットの毛が昇降装置（20）の昇降機構の一部にからまる虞はないし、昇降装置（20）の内部に入り込む虞もない。そのため、バスタブ（１）内部に抜け落ちたペットの毛が原因で生じる底板（５）の昇降動作の不具合や昇降装置（20）の故障を防止することができる。
【００７０】
しかも、ペットを洗浄した後でバスタブ（１）を清潔にするためその内部を清掃するときに昇降装置（20）が邪魔になることはないから、バスタブ（１）内部の清掃を行い易いという利点がある。さらに、昇降装置（20）のメンテナンス作業についても行い易いし、その上、もし仮に昇降装置（20）が何らかの原因で故障した場合であっても、その修理を行い易いという利点がある。
【００７１】
また、バスタブ（１）の内部に昇降装置（20）が配置されていないので、底板（５）を出来る限り低い高さ位置に配置することができ、もって、バスタブ（１）の底壁部（2e）と底板（５）との間にデッドスペースが生じるのを防止することができる。
【００７２】
また、出入扉（７）は、バスタブ（１）の外側へ倒伏して出入口（６）が開いた状態のもとで、ペットがバスタブ設置床面（Ｆ）上から底板（５）上に乗り降りするための乗降板としても機能するものとなされているので、次の利点がある。すなわち、ペットを洗浄するためにペットをバスタブ設置床面（Ｆ）上から底板（５）上に乗せる際や、ペット洗浄後にペットを底板（５）上からバスタブ設置床面（Ｆ）上に降ろす際に、出入扉（７）を倒伏させておけば、ペットをこの倒伏姿勢の出入扉（７）上を歩かせることにより、ペットの乗降を容易に行うことができる。
【００７３】
また、ロック操作棒（８）は、バスタブ（１）の出入扉（７）がバスタブ（１）外側へ倒伏して出入口（６）が開いた状態のもとで、出入扉（７）を倒伏状態にバスタブ設置床面（Ｆ）に対して支持する支持脚としても機能するものとなされているので、次の利点がある。すなわち、出入扉（７）を乗降板として機能させた場合において、出入扉（７）の勾配を緩やかにすることができ、もって、出入扉（７）の勾配をペットが乗り降りし易い勾配に設定することができる。さらに、出入扉（７）の上縁部がバスタブ設置床面（Ｆ）に直接当接しなくなるため、出入扉（７）の上縁部を清潔に保つことができるし、更には、出入扉（７）の上縁部のバスタブ設置床面（Ｆ）への当接による傷つきを防止することができる。
【００７４】
また、底板（５）の上面を洗浄する洗浄水（17a）を噴出する噴出ノズル（17）は、吊下げアーム（21）に設けられているので、底板（５）と一緒に昇降される。そのため、底板（５）の高さ位置に関係なく底板（５）の上面に向けて洗浄水（17a）を噴出することができ、もって底板（５）の上面を確実に洗浄することができる。
【００７５】
また、本実施形態のペット洗浄システム（50）は、上記のペット洗浄用バスタブ（１）を備えているので、上記と同様の利点を有する。
【００７６】
以上で本発明の一実施形態について説明したが、本発明は、上記実施形態に示したものに限定されるものではなく、様々に設定変更可能であることは言うまでもない。
【００７７】
例えば、バスタブ（１）の出入口（６）は、バスタブ（１）の前側壁部（2a）ではなく右側壁部（2d）（又は左側壁部（2c））等に設けられていても良い。
【００７８】
また、ガイドレール（22）は、バスタブ（１）の後側ではなく、例えば右側（又は左側）に立設されていても良い。
【産業上の利用可能性】
【００７９】
本発明は、犬、猫等のペットの洗浄時に使用される底板昇降式ペット洗浄用バスタブ及びペット洗浄システムに利用可能である。
【図面の簡単な説明】
【００８０】
【図１】本発明の一実施形態に係るペット洗浄用バスタブ及びペット洗浄システムを示す斜視図である。
【図２】同バスタブのロック操作棒及びロックボルトを示す拡大斜視図である。
【図３】同バスタブをその出入扉を倒伏させた状態で示す平面図である。
【図４】同バスタブをその出入扉を倒伏させた状態で示す背面図である。
【図５】同バスタブをその出入扉を倒伏させた状態で示す断面図である。
【図６】同バスタブをその底板を上昇させた状態で示す背面図である。
【図７】同バスタブをその底板を上昇させた状態で示す断面図である。
【符号の説明】
【００８１】
１…バスタブ
５…底板
６…出入口
７…出入扉
８…ロック操作棒
９…ロックボルト
11…ロック孔
14…昇降操作レバー
15…シャワーヘッド
17…噴出ノズル
20…昇降装置
21…吊下げアーム
22…ガイドレール
23a…上昇降フレーム
23b…下昇降フレーム
24…ロッド駆動手段
25…ロッド
27…電気モータ
40…制御ボックス
50…ペット洗浄システム
Ｆ…バスタブ設置床面
【図１】
2007104913.tif 000003
【図２】
2007104913.tif 000004
【図３】
2007104913.tif 000005
【図４】
2007104913.tif 000006
【図５】
2007104913.tif 000007
【図６】
2007104913.tif 000008
【図７】
2007104913.tif 000009